(57)【要約】【課題】テレビカメラおよび大型映像装置が一方、インターネットに接続された画像放映システムにおいて、システム利用者がその個性を十分に発揮できるようにする。【解決手段】インターネットに接続可能な携帯電話６と、携帯電話６にアクセス用のＩＤおよびパスワードを送信する運営会社サーバ２と、携帯電話６が送信したカメラ駆動信号を受信したとき、テレビカメラ３４で画像を撮影して大型映像装置３３に表示する大型映像装置所有会社クライアント３とを備える。これにより、システム利用者は、自分の携帯電話６でテレビカメラ３４を自由に操り、好きな映像を大型映像装置３３に映し出せる。しかも、携帯電話６以外のツールを必要としないので、この画像放映を手軽に楽しめる。【選択図】図２
2005295199.tif 000002
【特許請求の範囲】
【請求項１】
テレビカメラおよび大型映像装置が開放型の通信ネットワークに接続された画像放映システムであって、
前記通信ネットワークに接続可能な移動体通信端末と、
前記移動体通信端末にアクセス用のＩＤおよびパスワードを送信するシステム使用権付与手段と、
前記移動体通信端末が送信したカメラ駆動信号を受信したとき、前記テレビカメラで画像を撮影して前記大型映像装置に表示する画像表示制御手段と
を備えたことを特徴とする画像放映システム。
【請求項２】
前記移動体通信端末のキー操作に応じて前記テレビカメラを上下左右方向へ駆動するカメラ首振り制御手段が設けられていることを特徴とする請求項１に記載の画像放映システム。
【請求項３】
前記アクセス用のパスワードは、ワンタイム・パスワードであることを特徴とする請求項１又は２に記載の画像放映システム。
【請求項４】
前記移動体通信端末は、携帯電話であることを特徴とする請求項１乃至３のいずれかに記載の画像放映システム。
【請求項５】
開放型の通信ネットワークに接続されたテレビカメラおよび大型映像装置を用いる画像放映方法であって、
システム使用権付与手段は、移動体通信端末にアクセス用のＩＤおよびパスワードを送信し、
前記移動体通信端末は、前記通信ネットワークを介してカメラ駆動信号を送信し、
画像表示制御手段は、前記テレビカメラで画像を撮影して前記大型映像装置に表示することを特徴とする画像放映方法。
【請求項６】
カメラ首振り制御手段は、前記移動体通信端末のキー操作に応じて前記テレビカメラを上下左右方向へ駆動することを特徴とする請求項５に記載の画像放映方法。
【請求項７】
前記アクセス用のパスワードは、ワンタイム・パスワードであることを特徴とする請求項５又は６に記載の画像放映方法。
【請求項８】
前記移動体通信端末は、携帯電話であることを特徴とする請求項５乃至７のいずれかに記載の画像放映方法。
【発明の詳細な説明】
【技術分野】
【０００１】
本発明は、大型映像装置による画像放映システムおよび画像放映方法に関するものである。
【背景技術】
【０００２】
従来、この種の画像放映システムとしては、競技場やビルの側面などに大型映像装置を設置しておき、クライアントが、定型フォーマットの中から選択してメッセージを決定した後、運営会社が、このメッセージを大型映像装置に表示していた（例えば、特許文献１参照）。
【特許文献１】特開２００２−３０５７３７号公報（段落〔００２３〕〔００２７〕の欄、図１）
【発明の開示】
【発明が解決しようとする課題】
【０００３】
しかし、定型フォーマットの中から選択してメッセージを決定する場合、決まり切ったメッセージしか大型映像装置に表示されず、システム利用者の個性が十分に発揮されないという不都合があった。
【０００４】
本発明は、このような事情に鑑み、システム利用者がその個性を十分に発揮することが可能な、画像放映システムおよび画像放映方法を提供することを目的とする。
【０００５】
すなわち、本特許の特徴は、これまで視聴者が大型映像装置の映像に参画することが不可能であったものを参加できるようにしたことにあり、これは単にインターネットを利用して双方向を実現しただけではなく、個人に情報発信と発表の場を与えるためのシステムである。したがって、既に部分的に類似したシステムは公知だとしても、このような考え方に基づくシステムは新規性を具備している。
【課題を解決するための手段】
【０００６】
まず、請求項１に係る発明は、テレビカメラおよび大型映像装置が開放型の通信ネットワークに接続された画像放映システムであって、前記通信ネットワークに接続可能な移動体通信端末と、前記移動体通信端末にアクセス用のＩＤおよびパスワードを送信するシステム使用権付与手段と、前記移動体通信端末が送信したカメラ駆動信号を受信したとき、前記テレビカメラで画像を撮影して前記大型映像装置に表示する画像表示制御手段とを備えたことを特徴とする。
また、請求項２に係る発明は、前記移動体通信端末のキー操作に応じて前記テレビカメラを上下左右方向へ駆動するカメラ首振り制御手段が設けられていることを特徴とする。
また、請求項３に係る発明は、前記アクセス用のパスワードは、ワンタイム・パスワードであることを特徴とする。
また、請求項４に係る発明は、前記移動体通信端末は、携帯電話であることを特徴とする。
また、請求項５に係る発明は、開放型の通信ネットワークに接続されたテレビカメラおよび大型映像装置を用いる画像放映方法であって、システム使用権付与手段は、移動体通信端末にアクセス用のＩＤおよびパスワードを送信し、前記移動体通信端末は、前記通信ネットワークを介してカメラ駆動信号を送信し、画像表示制御手段は、前記テレビカメラで画像を撮影して前記大型映像装置に表示することを特徴とする。
また、請求項６に係る発明は、カメラ首振り制御手段は、前記移動体通信端末のキー操作に応じて前記テレビカメラを上下左右方向へ駆動することを特徴とする。
また、請求項７に係る発明は、前記アクセス用のパスワードは、ワンタイム・パスワードであることを特徴とする。
また、請求項８に係る発明は、前記移動体通信端末は、携帯電話であることを特徴とする。
【０００７】
ここで、開放型の通信ネットワークとは、不特定多数の利用者に広く開放された通信ネットワークを意味し、その代表例としてインターネットを挙げることができる。
【発明の効果】
【０００８】
本発明によれば、システム利用者は、自分の移動体通信端末でテレビカメラを自由に操り、好きな映像を大型映像装置に映し出すことが可能となる。しかも、移動体通信端末以外のツールを必要としないので、この画像放映を手軽に楽しむことができる。その結果、システム利用者は、その個性を十分に発揮することが可能となる。
【０００９】
そして、この画像放映システムを応用すれば、様々なイベントで使用する大型映像装置の映像表現を観客に委ねたり、意志を反映させたりする等の多彩な演出手法を簡便に実行することができる。
【００１０】
例えば、システム利用者は、テレビカメラで撮影した画像を大型映像装置に表示することは勿論、その画像に予め入力された文字によるメッセージや自分の名前を合成させたり、自分の移動体通信端末のディスプレイに表示して楽しむこともできる。勿論、その合成画像を他の移動体通信端末に転送することも可能である。
【００１１】
また、コンサートやライブにおいて、舞台に大型映像装置を設置するとともに、客席に何台かのテレビカメラを設置しておき、観客の移動体通信端末で操作したり、自分を舞台に登場させたりすることができ、新しい演出手法が可能となる。
【００１２】
さらに、不特定多数の通行人を対象に、発売予定のビールや清涼飲料水の試飲アンケートを街頭で実施する場合、通行人の移動体通信端末にアンケート票を配信すると、試飲と同時に市場調査を実施することができる。このとき、試飲者が、移動体通信端末のディスプレイに表示された設問に沿って回答すると、大型映像装置には試飲者が設問に対して回答している様子が映し出され、他の試飲者がアンケートに回答した集計結果がグラフ等で刻々と表示されるので、より一層リアルな印象を醸成し、広告効果を高めることとなる。一方、スポンサーは、そこで得たデータを消費者の生の声として活用することが可能となる。
【発明を実施するための最良の形態】
【００１３】
以下、本発明の実施形態を図面に基づいて説明する。
【００１４】
画像放映システム１は、図１に示すように、運営会社サーバ２、大型映像装置所有会社クライアント３および通信会社クライアント４から構成されており、これらはインターネットを介して相互に接続されている。
【００１５】
ここで、運営会社サーバ２は、図２に示すように、Webサーバ２１およびデータベースサーバ２２を具備している。Webサーバ２１にはカメラ操作プログラムなどが格納されており、データベースサーバ２２には、アクセス用のＩＤおよびパスワードが格納されている。
【００１６】
また、大型映像装置所有会社クライアント３は、図１および図２に示すように、表示コントローラ３１を有している。表示コントローラ３１にはディスプレイコントローラ３２が接続されており、ディスプレイコントローラ３２には、街頭に設置された大型映像装置３３が接続されている。また、表示コントローラ３１には、テレビカメラ３４が大型映像装置３３の上方で首振り自在に取り付けられており、テレビカメラ３４にはカメラサーバ３５が接続されている。なお、このカメラサーバ３５は専用の光ファイバを介して運営会社サーバ２のWebサーバ２１に接続されている。
【００１７】
画像放映システム１は以上のような構成を有するので、この画像放映システム１を利用しようとする者、つまりシステム利用者が、大型映像装置所有会社クライアント３のテレビカメラ３４を動かして画像を捉え、これを大型映像装置３３に放映する際には、次の手順による。なお、これに先立ち、運営会社は大型映像装置所有会社に対してシステム利用の許可を求め、大型映像装置所有会社は運営会社に対してシステム利用を承諾する形で、運営会社と大型映像装置所有会社との間にはシステム利用契約が締結されている。
【００１８】
すなわち、大型映像装置３３には空メール（登録商標）の案内が電子メールアドレスとともに表示されているので（図３の（１）参照）、システム利用者は、自分の携帯電話６を用いて運営会社サーバ２あて空メール（つまり、タイトルおよび本文に文字が記されていない電子メール）を送信する（図３の（２）参照）。
【００１９】
次に、この空メールを受信した運営会社サーバ２は、システム使用権、すなわち画像放映システム１を使用する権利をシステム利用者に貸与すべく、カメラ操作プログラムをWebサーバ２１から読み出すとともに、アクセス用のＩＤおよびパスワードをデータベースサーバ２２から読み出し、システム利用者あて電子メールで送信する（図３の（３）、（４）参照）。このときの送信は、先にシステム利用者から届いた空メールに返信する形で自動的に実行されるので、手間がかからない。
【００２０】
次に、システム利用者は、このカメラ操作プログラムを起動し、アクセス用のＩＤおよびパスワードを入力する。すると、システム利用者は、所定の使用時間（例えば、３０秒間）だけシステム使用権が貸与されるので、携帯電話６のキー操作によってテレビカメラ３４を上下左右方向へ動かしたり（図３の（５）参照）、またはズームアップ、ズームバックをしたりする等、自由に操作ができる。その結果、テレビカメラ３４がその動きに応じて周囲の景色を撮像し、その画像データが表示コントローラ３１に伝送される。すると、表示コントローラ３１は、この画像データをディスプレイコントローラ３２に出力して画像放映を指令する。これを受けてディスプレイコントローラ３２は、この画像データに基づき、テレビカメラ３４が撮像した画像を大型映像装置３３に映し出す。なお、アクセス用のパスワードはワンタイム・パスワード（１回限りの使い捨てパスワード）であり、画像放映システム１を利用するたびに新たなパスワードが付与される。
【００２１】
その後、通信会社クライアント４は、システム使用料と通信料をシステム利用者に請求する（図３の（６）参照）。これを受けてシステム利用者は、システム使用料と通信料を通信会社に支払う（図３の（７）参照）。また、通信会社は、システム使用料を運営会社に支払う（図３の（８）参照）。このとき、アクセス用のパスワードはワンタイム・パスワードであるため、適正な課金体系を確立することができるとともに、パスワードの盗用による画像放映システム１の不正使用を未然に防ぐことが可能となる。一方、アクセス用のＩＤは１回限りの使い捨てではないので、システム利用者は、同じＩＤを使って何度でもシステム使用権を得ることができる。
【００２２】
このように、システム利用者は、テレビカメラ３４を自由に動かして画像を捉え、これを大型映像装置３３に放映することができるので、個性を十分に発揮することが可能となる。しかも、特定のシステム利用者に限る閉鎖型ではなく、不特定多数のシステム利用者に開放された開放型であるため、エンターテイメント手段として、或いはコミュニケーション・ツールとして存分に活用することができる。
【００２３】
なお、上述の実施形態においては、テレビカメラ３４で撮影した画像を大型映像装置３３にのみ表示する場合について説明したが、システム利用者の携帯電話６にイメージビューワ（画像表示ソフトウェア）を配信することにより、テレビカメラ３４で撮影した画像を携帯電話６のディスプレイでも表示させて楽しむことができる。
【００２４】
また、上述の実施形態においては、不特定多数のシステム利用者を対象としているため、１台のテレビカメラ３４を複数のシステム利用者が同時に操作しようとする場合が考えられる。そこで、アクセス用のＩＤおよびパスワードを各システム利用者に送信するときに、優先順位を表す数字を付加すれば、複数のシステム利用者に優先順位を割り当てることができるので、同時使用の混乱を解消することが可能となる。このとき、不特定多数のシステム利用者が順次利用できるようにするには、その権利を取得したシステム利用者には開始の合図を、それ以外のシステム利用者には待機してくれるようお願いする映像を送ることが望ましい。また、アクセス用のＩＤおよびパスワードを各システム利用者に送信するときに、標準時刻信号を併せて送信することが望ましい。これは、あるシステム利用者から別のシステム利用者へシステム使用権を移すのに、両者の時刻が正確に管理されていないと、誤差が生じて順序正しく制御できない恐れがあるからである。
【００２５】
また、上述の実施形態においては、システム利用者が費用（システム使用料と通信料）を負担する場合について説明したが、広告主または広告代理店が広告料の形で費用を負担する場合もある。この場合、広告主または広告代理店は、この画像放映システム１を使用できる時間帯を大型映像装置３３の番組として一定時間買い上げ、その時間帯を利用者に開放する。利用者はその番組のプログラムに従って参加し、広告主は、テレビ番組と同様に、この時間帯の前後はもとより、広告枠を自由に設定して広告（ＣＭ）を放映する。一般に大型映像装置３３における広告は注目度や認知率が低いとされ、広告料金が他の媒体より低く評価されているのに対し、この画像放映システム１によれば、広告効果を大幅に高めることが可能となる。
【００２６】
また、上述の実施形態においては、アクセス用のＩＤおよびパスワードをシステム利用者に付与するのに空メールを利用する場合について説明したが、空メールの代わりに専用のアダプタや無線ＬＡＮ（構内情報通信網）、ＧＰＳ（全地球測位システム）、赤外線通信、２次元コード（ＱＲコードなど）を利用することもできる。以下、これらについて順に説明する。
【００２７】
まず、専用のアダプタ５を利用する場合、図４に示すように、システム利用者は、自分の携帯電話６のコネクタにアダプタ５を所定の時間（例えば、１０秒間）だけ差し込む（図４の（１）参照）。すると、その携帯電話６には特定のＵＲＬ（Uniform Resource Locator）が取り込まれるので、システム利用者は、そのＵＲＬをクリックしてそのサイトにアクセスし、カメラ操作プログラムをダウンロードする（図４の（２）参照）。
【００２８】
一方、運営会社サーバ２は、システム利用者にシステム使用権を貸与すべく、アクセス用のＩＤおよびパスワードをデータベースサーバ２２から読み出し、システム利用者あて電子メールで送信する（図４の（３）、（４）参照）。
【００２９】
次に、システム利用者は、カメラ操作プログラムを起動し、アクセス用のＩＤおよびパスワードを入力する。すると、システム利用者は、所定の使用時間（例えば、３０秒間）だけシステム使用権が貸与されるので、携帯電話６のキー操作によってテレビカメラ３４を上下左右方向へ自由に動かす（図３の（５）参照）。その結果、テレビカメラ３４がその動きに応じて周囲の景色を撮像し、その画像データが表示コントローラ３１に伝送される。すると、表示コントローラ３１は、この画像データをディスプレイコントローラ３２に出力して画像放映を指令する。これを受けてディスプレイコントローラ３２は、この画像データに基づき、テレビカメラ３４が撮像した画像を大型映像装置３３に映し出す。なお、アクセス用のパスワードはワンタイム・パスワードであり、画像放映システム１を利用するたびに新たなパスワードが付与される。
【００３０】
その後、運営会社サーバ２は、システム使用料と通信料をシステム利用者に請求する（図４の（６）参照）。これを受けてシステム利用者は、システム使用料と通信料を運営会社に支払う（図４の（７）参照）。このとき、アクセス用のパスワードはワンタイム・パスワードであるため、適正な課金体系を確立することができるとともに、パスワードの盗用による画像放映システム１の不正使用を未然に防ぐことが可能となる。
この場合も、上述の実施形態（空メールを利用する場合）と比べて、アクセス用のＩＤおよびパスワードをシステム利用者に付与する方法が異なるに過ぎず、それ以外は基本的に同じであるため、この実施形態と同様の作用効果を奏する。
【００３１】
一方、無線ＬＡＮを利用する場合は、大型映像装置３３を視認できる範囲を無線ＬＡＮでカバーし、携帯電話６にＵＲＬを自動的に配信することができるので、システム利用者の手間が省ける利点がある。ＧＰＳを利用して特定範囲の携帯電話６を捕捉してＵＲＬを配信する場合も、同様の利点がある。また、最近の携帯電話に搭載されている赤外線通信や２次元コードを利用することで、瞬時にＵＲＬを入手することができる。なお、これらの方法でＵＲＬを受信した人が画像放映システム１の利用を希望しないときは、これを無視すれば済むので、迷惑メールとして煩わしく思われる心配はない。
【００３２】
また、上述の実施形態においては、移動体通信端末として携帯電話６を用いる場合について説明したが、携帯電話６以外の移動体通信端末、例えばＰＨＳ（簡易型携帯電話）、通信機能を備えたノートパソコン、ＰＤＡ、ゲーム機などを代用することも可能である。なお、移動体通信端末として携帯電話６を用いる場合、特定の通信方式による携帯電話６のみならず、あらゆる通信方式の携帯電話６に対応できるため、汎用性に優れる。
【００３３】
また、上述の実施形態においては、大型映像装置３３を街頭に設置した場合について説明したが、車載型（移動方式）の大型映像装置３３を代用することもできる。
【００３４】
また、上述の実施形態においては、説明の都合上、運営会社と大型映像装置所有会社とを分けて説明したが、同じ会社が兼業することも勿論できる。さらに、１台のコンピュータが運営会社サーバ２と大型映像装置所有会社クライアント３を兼ねることも可能である。
【図面の簡単な説明】
【００３５】
【図１】本発明に係る画像放映システムの第１の実施形態を示す全体構成図である。
【図２】図１に示す画像放映システムの構成を示す模式図である。
【図３】図１に示す画像放映システムにおけるシステム利用手順を示す模式図である。
【図４】本発明に係る画像放映システムの第２の実施形態におけるシステム利用手順を示す模式図である。
【符号の説明】
【００３６】
１……画像放映システム
２……運営会社サーバ（システム使用権付与手段）
３……大型映像装置所有会社クライアント（画像表示制御手段、カメラ首振り制御手段）
４……通信会社クライアント
５……アダプタ
６……携帯電話（移動体通信端末）
２１……Webサーバ
２２……データベースサーバ
３１……表示コントローラ
３２……ディスプレイコントローラ
３３……大型映像装置
３４……テレビカメラ
【図１】
2005295199.tif 000003
【図２】
2005295199.tif 000004
【図３】
2005295199.tif 000005
【図４】
2005295199.tif 000006